(57)【要約】【課題】検査対象への接触面積を確保して菌の採取率を上げ、容易に希釈液へ菌をリリースする植毛ブラシ拭取り棒を提供する。【解決手段】  植毛ブラシ拭取り棒１１は、長手部材１１ａと、長手部材１１ａの先端に設けられる平板部材１１ｃと、平板部材１１ｃの表面に静電植毛される複数の繊維１１ｆとを備える。【選択図】図２
2012021953.tif 000002
【特許請求の範囲】
【請求項１】
植毛ブラシ拭取り棒あって、
長手部材と、
前記長手部材の先端に設けられる平板部材と、
前記平板部材の表面に静電植毛される複数の繊維とを備えることを特徴とする植毛ブラシ拭取り棒。
【請求項２】
前記平板部材は、
前記平板部材の厚み方向における上面と、
前記上面の反対側の下面と、
側面とを備え、
前記下面は、前記長手部材の軸方向と鋭角を成すことを特徴とする請求項１に記載の植毛ブラシ拭取り棒。
【請求項３】
前記上面及び前記下面が、楕円形状であることを特徴とする請求項２に記載の植毛ブラシ拭取り棒。
【請求項４】
前記平板部材が矩形であることを特徴とする請求項２に記載の植毛ブラシ拭取り棒。
【請求項５】
前記長手部材は、前記平板部材との接続部に形成される屈曲部分を備え、
前記屈曲部分は波形状であり、
前記波形状の凹部及び凸部は、前記平板部材と平行な方向で、且つ前記長手部材の軸方向に直角な向きであることを特徴とする請求項２から請求項４までのいずれか１項に記載の植毛ブラシ拭取り棒。
【請求項６】
前記長手部材は、前記平板部材との接続部に形成される屈曲部分を備え、
前記屈曲部分は、前記長手部材の軸方向に直角な向きの溝を有し、
前記溝は、前記上面側に形成されることを特徴とする請求項２から請求項４までのいずれか１項に記載の植毛ブラシ拭取り棒。
【請求項７】
前記長手部材は、前記平板部材との接続部に形成される屈曲部分を備え、
前記屈曲部分は、前記屈曲部分の他の部分よりも、前記厚み方向で薄いことを特徴とする請求項２から請求項４までのいずれか１項に記載の植毛ブラシ拭取り棒。
【請求項８】
植毛ブラシ検査キットであって、
請求項１から請求項７までのいずれか１項に記載の植毛ブラシ拭取り棒と、
前記植毛ブラシ拭取り棒と希釈液とを収容する希釈液容器と、
前記希釈液容器の端部に設けられ、前記植毛ブラシ検査キットを自立させる自立部とを備えることを特徴とする植毛ブラシ検査キット。
【請求項９】
前記希釈液容器は、
前記希釈液を収容し、その内部で前記長手部材、前記平板部材及び前記複数の繊維が収納される収容部と、
前記収容部の下端部に設けられる縮径部とを備え、
前記自立部は、前記希釈液容器のキャップであり、
前記縮径部を収容する本体と、
前記本体の下端に設けられる円盤状の平坦部と、
前記平坦部の上面から延びて前記本体を支える複数のリブとを有し、
前記本体は、前記平坦部の中心に接続されることを特徴とする請求項８に記載の植毛ブラシ検査キット。
【請求項１０】
前記希釈液容器は、
前記希釈液を収容し、その内部で前記長手部材、前記平板部材及び前記複数の繊維が収納される収容部と、
前記収容部の下端部に設けられる縮径部とを備え、
前記自立部は、前記希釈液容器のキャップであり、
前記縮径部を収容する本体と、
前記本体から延び、前記本体の周囲に配置されるスカート部とを有することを特徴とする請求項８に記載の植毛ブラシ検査キット。
【請求項１１】
請求項１から請求項１０までのいずれか１項に記載の植毛ブラシ拭取り棒の採取力を調整する方法であって、
前記複数の繊維の長さ、太さ、植毛密度の少なくとも１つを変化させることによって、前記複数の繊維の間への検体の採取能力を変化させることを特徴とする方法。
【発明の詳細な説明】
【技術分野】
【０００１】
本発明は、食品の製造加工に使用する器具、器材ならびに食品取扱器具及び食品取扱者などが清潔かつ衛生的であるかを検査するために用いられる植毛ブラシ検査キット、及びこれを用いた拭き取り検査方法に関する。
【背景技術】
【０００２】
食品の品質レベルの指標として、一般細菌数や大腸菌群数がある。食品衛生法では規格基準があり、都道府県の条例でも指導基準がある。これら基準及び目標の数値をクリアしているかを知るためには、食品を取り扱う食品取扱器具、器材及び食品取扱者の手指などの菌の有無や量を調べる必要がある。
【先行技術文献】
【特許文献】
【０００３】
【特許文献１】特許公開２００３−３４４２３２号公報
【特許文献２】特許公開２００８−３２５４１号公報
【発明の概要】
【発明が解決しようとする課題】
【０００４】
上記菌の有無や量を調べるためには、食品取扱器具及び食品取扱者の手指など（以下、「検査対象」という）に直接スタンプする方法と、減菌水（希釈液）でぬらした綿棒で検査対象を拭取る方法とがある。後者の方法に用いられる綿棒は、棒状のベースに長い極細繊維束が巻き付けられて形成され、容器中の希釈液に浸っている。綿棒の綿球は、極細繊維の間の空隙の毛細管現象で吸水性を保つことによって、菌を採取するようにしている。
【０００５】
従来の綿棒は、綿球の適度な湿り気を持った状態で希釈液から取り出され、検査対象を拭取るために使用される。綿棒は希釈液に戻され、容器が揺動されると、綿球からの菌が希釈液中に解離（リリース）される。その後、希釈液が検査培地に注入され、所定温度で一定時間培養した後の色や紫外線に対する光学的反応を用いて、菌の有無が判定される（定性検査法）。また、シャーレやフィルム培地に希釈液が一定量分注された後、所定温度で一定時間培養した後のコロニー（菌の集落）が観察されて、検査対象における菌量が推定される（定量検査法）。
【０００６】
しかしながら、綿球の表面は曲面であるため、一拭きしたのでは綿球の一部しか検査対象に触れない。このため、検査対象から菌を十分に拭取ることが難しいという問題があった。また、綿球は極細繊維束を巻き付けて形成されているため、容器の揺動では菌を希釈液中に解離させることが難しいという問題があった。
【０００７】
本発明は、このような技術的課題に鑑みてなされたものであり、検査対象への接触面積を確保して菌、微生物及び微粒子などを十分に拭取り、これらを容易に希釈液へリリースする植毛ブラシ拭取り棒を提供することを目的とする。
【課題を解決するための手段】
【０００８】
本発明のある態様によれば、長手部材と、長手部材の先端に設けられる平板部材と、平板部材の表面に静電植毛される複数の繊維とを備える植毛ブラシ拭取り棒が提供される。
【発明の効果】
【０００９】
本発明の上記態様では、従来の綿球の代わりに、母材の平板部材の表面に複数の繊維を静電植毛した。平板部材の平面の繊維によって検査対象を拭取れるため、検査対象への接触面積を確保でき、菌を十分に拭取ることができる。また、平面上に静電植毛された繊維の間に菌が採取されるため、従来の綿球の繊維の間の菌よりも、容易に希釈液へ菌をリリースすることができる。
【図面の簡単な説明】
【００１０】
【図１】図１は、植毛ブラシ検査キットを示す部分断面図である。
【図２】図２は、第１のキャップと植毛ブラシ拭取り棒との部分断面図である。
【図３】図３は、第１のキャップと植毛ブラシ拭取り棒との部分断面図である。
【図４】図４は、図２の検体採取部分のＩＶ−ＩＶ線断面図である。
【図５】図５は、長手部材の屈曲部分の斜視図である。
【図６】図６は、希釈液容器の部分断面図である。
【図７】図７は、第２のキャップの外観図である。
【図８】図８は、第２のキャップを上から見た平面図である。
【図９】図９は、第２実施形態の第１のキャップと植毛ブラシ拭取り棒との部分断面図である。
【図１０】図１０は、第２実施形態の第１のキャップと植毛ブラシ拭取り棒との部分断面図である。
【図１１】図１１は、第３実施形態の屈曲部分の斜視図である。
【図１２】図１２は、第４実施形態の屈曲部分の斜視図である。
【図１３】図１３は、第５実施形態の植毛ブラシ検査キットを示す部分断面図である。
【図１４】図１４は、第５実施形態の第２のキャップの断面図である。
【発明を実施するための形態】
【００１１】
以下、植毛ブラシ拭取り拭取り棒、植毛ブラシ検査キット、及び植毛ブラシ拭取り検査棒の採取力を調整する方法の本発明の実施形態を、図面に基づいて詳細に説明する。
【００１２】
（第１実施形態）
まず、植毛ブラシ検査キット１の概略を説明する。図１は、第１実施形態の植毛ブラシ拭取り棒１１が装着される植毛ブラシ検査キット１を示す部分断面図である。図１では、左半分が植毛ブラシ検査キット１の断面を示し、右半分が植毛ブラシ検査キット１の外観を示す。
【００１３】
植毛ブラシ検査キット１は、第１のキャップ１０と、第１のキャップ１０と一体成型される植毛ブラシ拭取り棒１１と、希釈液容器１２と、第２のキャップ１３（自立部）とを有する。
【００１４】
第１のキャップ１０は、後述する希釈液容器１２の上端開口部１２ｂに着脱可能に装着され、植毛ブラシ拭取り棒１１の大部分が希釈液容器１２内の希釈液に浸っている。第２のキャップ１３は、後述する希釈液容器１２の縮径部１２ｃに着脱可能に装着され、希釈液容器１２外部への希釈液の漏出が防止される。後述する第２のキャップ１３の形状により、植毛ブラシ検査キット１は自立可能である。
【００１５】
検査対象の菌の有無や量を調べる者（以下、「検査者」という）は、第１のキャップ１０を希釈液容器１２から取り外し、植毛ブラシ拭取り棒１１を希釈液容器１２から取り出す。植毛ブラシ拭取り棒１１の検体採取部分１１ｂ（一部点線で示す）で検査対象が拭取られ、植毛ブラシ拭取り棒１１が希釈液中に戻される。検査者が植毛ブラシ検査キット１を揺らすと、菌が検体採取部分１１ｂから希釈液中に解離される。その後、第２のキャップ１３が希釈液容器１２から取り外され、滴下された希釈液中の菌の有無や量が調べられる。
【００１６】
次いで、植毛ブラシ拭取り棒１１の詳細を説明する。図２は第１のキャップ１０と植毛ブラシ拭取り棒１１との詳細を示し、平板部材１１ｃの側面側から見た部分断面図である。図２では、左半分が第１のキャップ１０及び植毛ブラシ拭取り棒１１の断面を示し、右半分が第１のキャップ１０及び植毛ブラシ拭取り棒１１の外観を示す。図３は、第１のキャップ１０と植毛ブラシ拭取り棒１１との詳細を示し、平板部材１１ｃの上面側からみた部分断面図である。図３では、左半分が第１のキャップ１０及び植毛ブラシ拭取り棒１１の断面を示し、右半分が第１のキャップ１０及び植毛ブラシ拭取り棒１１の外観を示す。図４は、図２のＩＶ−ＩＶ線断面図である。図５は、長手部材１１ａの屈曲部２１ａの斜視図である。
【００１７】
植毛ブラシ拭取り棒１１は、長手部材１１ａと、長手部材１１ａの先端に設けられる検体採取部分１１ｂとを有する。
【００１８】
長手部材１１ａは、第１のキャップ１０から延びる細長の部分である。長手部材１１ａの断面は円形や楕円形などの様々な形状であり得る。長手部材１１ａは所定の長さを有し、このことによって、第１のキャップ１０が希釈液容器１２に装着された際に、検体採取部分１１ｂが、希釈液容器１２の希釈液中に十分に浸される（図１）。長手部材１１ａは、後述する屈曲部分２１ａを有する。
【００１９】
検体採取部分１１ｂは、長手部材１１ａと連続する平板部材１１ｃと、平板部材１１ｃの表面に整列する複数の極細の繊維１１ｇとを有する。第１のキャップ１０、長手部材１１ａ及び平板部材１１ｃは、ＡＢＳ樹脂（アクリロニトリル、ブタジエン及びスチレンの共重合合成樹脂）などの成型用樹脂を用いて一体成型されているが、これに限定されない。
【００２０】
平板部材１１ｃは、その厚み方向における上面１１ｄと、上面１１ｄの反対側の下面１１ｅと、側面１１ｆとを有する。平板部材１１ｃは、下面１１ｅと長手部材１１ａが延びる方向（軸方向）とが所定の角度α（鋭角）を成すように（図２）、長手部材１１ａと連続する。
【００２１】
上面１１ｄ及び下面１１ｅは、同じ大きさの楕円形状である（図３）。但し、上面１１ｄ及び下面１１ｅのそれぞれの長径及び短径は厳密に同じである必要はない。側面１１ｆは、上面１１ｄ及び下面１１ｅの外周の外側に湾曲した面である（図４）。
【００２２】
複数の繊維１１ｇの各々は、一定の短さの繊維である（図２―４）。複数の繊維１１ｇにはナイロンなどの繊維素材が用いられるがこれに限定されない。ここで、複数の繊維１１ｇの平板部材１１ｃの各面への付着方法を説明する。まず、上面１１ｄ、下面１１ｅ及び側面１１ｆの全ての面に接着剤が塗布される。接着剤が塗布された後、これら各々の面に直角になるように、複数の繊維１１ｇが静電気力で整列して付着される（以下、「静電植毛」という）。
【００２３】
長手部材１１ａは、平板部材１１ｃとの接続部に、上述の屈曲部分２１ａを有する（図２、３）。この屈曲部分２１ａには波形状が成型される（図５）。波形状の凹部及び凸部は、平板部材１１ｃと平行な方向で、長手部材１１ａが延びる方向に直角に延びる（直角な向きである）。このような形状により、屈曲部分２１ａは、長手部材１１ａの他の部分よりも弾力性を持つ。よって、検体採取部分１１ｂは、下面１１ｅ側から押されると、上面１１ｄ側（図２の矢印Ａ）に屈曲しやすい。
【００２４】
希釈液容器１２の詳細を説明する。図６は、希釈液容器１２の部分断面図である。図６では、左半分が希釈液容器１２の断面を示し、右半分が希釈液容器１２の外観を示す。
【００２５】
希釈液容器１２は、円筒の収容空間１２ａと、収容空間１２ａの上端開口部１２ｂと、上端開口部１２ｂの反対側に設けられる縮径部１２ｃと、縮径部１２ｃに形成される下端開口部１２ｄとを有する。
【００２６】
収容空間１２ａは所定の容量を有し、このことによって、第１のキャップ１０が希釈液容器１２に装着された際に、植毛ブラシ拭取り棒１１が収容空間１２ａ内で十分に延在できる（図１）。収容空間１２ａは、希釈液容器１２の揺動により検体採取部分１１ｂからの菌を解離させる程度の希釈液を収容している。
【００２７】
縮径部１２ｃは、上端から下端にいくにつれて、その半径が小さくなっている。縮径部１２ｃには、後述する第２のキャップ１３が装着される。
【００２８】
下端開口部１２ｄは、縮径部１２ｃの下端に設けられる。下端開口部１２ｄには、後述する第２のキャップ１３の栓部１３ｅが嵌合し、これにより縮径部１２ｃからの希釈液の漏出が防止される。
【００２９】
第２のキャップ１３の詳細を説明する。図７は、第２のキャップ１３の外観図である。図８は、上からみた第２のキャップ１３の平面図である。
【００３０】
第２のキャップ１３は、容器側開口部１３ａと、本体１３ｂと、平坦部１３ｃと、４つのリブ１３ｄと、栓部１３ｅとを有する。
【００３１】
容器側開口部１３ａは、第２のキャップ１３の上端に形成されている。本体１３ｂは、縮径部１２ｄを収容する部材であり、容器側開口部１３ａから下端にいくにつれて、その半径が小さくなっている（図７）。本体１３ｂの内部形状は縮径部１２ｄの外部形状と適合する。円盤状の平坦部１３ｃの中心で、本体１３ｂの下端と接続する。平坦部１３ｃの半径は、容器側開口部１３ａの半径よりも大きい（図７）。
【００３２】
４つのリブ１３ｄは、本体１３ｂの外側で、十字の４方向でそれぞれ設けられる（図８）。４つのリブ１３ｄの各々は、平坦部１３ｃの上面から延びて本体１３ｂを支える。但し、４つのリブ１３ｄは厳密に十字の４方向でなくてもよく、また他の複数個のリブ１３ｄが設けられてもよい。
【００３３】
このような本実施形態の植毛ブラシ検査キット１は、以下のようにして使用することができる。
【００３４】
植毛ブラシ拭取り棒１１の長手部材１１ａと検体採取部分１１ｂとが希釈液容器１２内に収容され、希釈液に浸っている（図１）。希釈液容器１２の縮径部１２ｃには第２のキャップ１３が装着されている。検査者は、第１のキャップ１０を希釈液容器１２から外し、植毛ブラシ拭取り棒１１を希釈液容器１２から取り出す。
【００３５】
複数の繊維１１ｇは、上述のように整列して平板部材１１ｃに静電植毛されている。また、複数の繊維１１ｇは一定の長さであり、複数の繊維１１ｇ間で水分が保持される。よって、検体採取部分１１ｂの水分量は平板部材１１ｃ上の広い範囲で一定であり、植毛ブラシ拭取り棒１１では、安定した菌採取率を得ることができる。
【００３６】
検査者は第１のキャップ１０を掴み、検体採取部分１１ｂを用いて検査対象を拭取る。屈曲部分２１ａの形状により、検査者は下面１１ｅを検査対象に押し付け、検体採取部分１１ｂを上面１１ｄの方向（図２の矢印Ａ）に屈曲させる。この状態で検査対象を拭取ることにより、下面１１ｅの全体の繊維１１ｇで検査対象からの菌を採取することができる。よって、従来の綿棒の綿球よりも検査対象への接触面積を確保でき、検査対象からの菌を十分に拭取ることができる。
【００３７】
屈曲部分２１ａの形状により、上面１１ｄの方向（図２の矢印Ａ）よりも、長手部材１１ａと直交する方向（図３の矢印Ｂ）では、検体採取部分１１ｂの長手部材１１ａに対する剛性が強い。よって、検査対象をこすって菌を採取する必要がある場合には、上面１１ｄ及び下面１１ｅの短径方向に垂直な側面１１ｆを使用して、菌を採取することができる。
【００３８】
検体採取部分１１ｂの母材は平板部材１１ｃであるため（図２、４）、平板部材１１ｃの厚さの範囲内の間隙であれば、検体採取部分１１ｂは入り込むことができる。よって、厚みが小さい間隙内でも、上面１１ｄ及び下面１１ｅと検査対象との接触面積を保ったまま、検査体象から菌を採取することができる。
【００３９】
検体採取部分１１ｂによって菌が採取された後、検査者は、第１のキャップ１０を希釈液容器１２に装着して、植毛ブラシ拭取り棒１１を希釈液容器１２へ戻す。検査者は植毛ブラシ検査キット１を揺動し、複数の繊維１１ｇから希釈液中に菌を解離させる。
【００４０】
ここで、検査対象からの菌は、整列した一定の短さの複数の繊維１１ｇの間に保持されている。よって、植毛ブラシ検査キット１の揺動により、複数の繊維１１ｇ間から菌を容易に希釈液中に解離させることができる。複数の繊維１１ｇ間に残る検査対象からの菌は、従来の綿球に残る菌よりも非常に少なくなる。
【００４１】
上記揺動の後、第２のキャップ１３が縮径部１２ｃに嵌められた状態で、植毛ブラシ検査キット１が鉛直方向で立てられる（図１）。ここで、縮径部１２ｃが本体１３ｂに覆われ、その外側が４つのリブ１３ｄによって支えられる。よって第２のキャップ１３の形状により、植毛ブラシ検査キット１の自立が助けられる。また、４つのリブ１３ｄを上記のように配置したため、第２のキャップ１３の重さを大きく変えることなく、本体１３ｂを支え、植毛ブラシ検査キット１の自立を助けることができる。
【００４２】
（第２実施形態）
第２実施形態の植毛ブラシ拭取り棒１１の詳細を説明する。第１実施形態とは、平板部材２１ｃの形状が異なる。図９は、第１のキャップ１０と植毛ブラシ拭取り棒１１との詳細を示し、平板部材１１ｃの側面側から見た部分断面図である。図９では、左半分が第１のキャップ１０及び植毛ブラシ拭取り棒１１の断面を示し、右半分が第１のキャップ１０及び植毛ブラシ拭取り棒１１の外観を示す。図１０は、第１のキャップ１０と植毛ブラシ拭取り棒１１との詳細を示し、平板部材１１ｃの上面側から見た部分断面図である。図１０では、左半分が第１のキャップ１０及び植毛ブラシ拭取り棒１１の断面を示し、右半分が第１のキャップ１０及び植毛ブラシ拭取り棒１１の外観を示す。
【００４３】
本実施形態では、平板部材２１ｃが矩形である。上面２１ｄと下面２１ｅとが長方形であり、側面２１ｆが平行四辺形である。平板部材２１ｃは、上面２１ｄ側と下面２１ｅ側とに、それぞれ４つの頂点１１ｈを有する。但し、平板部材２１ｃは厳密に矩形である必要はなく、複数の頂点を有する他の立体形状でもよい。
【００４４】
食品取扱器具、器材では、平坦な場所よりもコーナーや溝などに菌が多く存在する傾向にある。上記８つの頂点１１ｈを使用することにより、検査対象である食品取扱器具のコーナーや溝などの菌を的確に採取することができる。
【００４５】
（第３実施形態）
第３実施形態の植毛ブラシ拭取り棒の詳細を説明する。第１実施形態とは、屈曲部分３１ａの形状が異なる。図１１は、屈曲部分３１ａの斜視図である。
【００４６】
屈曲部分３１ａは、長手部材１１ａが延びる方向に直角に延びる複数の溝を有する。これらの溝は、長手部材１１ａの上面１１ｄ側に形成される。このような屈曲部分３１ａは長手部材１１ａの他の部分よりも弾力性を持ち、検体採取部分１１ｂは、下面１１ｅ側から押されると、上面１１ｄ側（図２の矢印Ａ）に屈曲しやすい。よって、第１実施形態と同様に、検査対象からの菌を十分に拭取ることができる。
【００４７】
（第４実施形態）
第４実施形態の植毛ブラシ拭取り棒の詳細を説明する。第１実施形態とは、屈曲部分４１ａの形状が異なる。図１２は、屈曲部分４１ａの斜視図である。
【００４８】
屈曲部分４１ａは、平板部材１１ｃの厚み方向と同一の方向で、長手部材１１ａの他の部分よりも薄く形成される。このような屈曲部分４１ａは長手部材１１ａの他の部分よりも弾力性を持ち、検体採取部分１１ｂは、下面１１ｅ側から押されると、上面１１ｄ側（図２の矢印Ａ）に屈曲しやすい。よって、第１実施形態と同様に、検査対象からの菌を十分に拭取ることができる。
【００４９】
（第５実施形態）
第５実施形態の第２のキャップ１３の詳細を説明する。第１実施形態とは、第２のキャップ２３の形状が異なる。図１３は、本実施形態の第２のキャップ１３を有する植毛ブラシ検査キット１を示す部分断面図である。図１３では、左半分が拭取り検査具１の断面を示し、右半分が植毛ブラシ検査キット１の外観を示す。図１４は、本実施形態の第２のキャップ１３の詳細を示す断面図である。
【００５０】
第１実施形態と同様に、第２のキャップ１３は、希釈液容器１２の下側に設けられ、植毛拭取り検査具１の自立を助ける形状である（図１４）。第２のキャップ２３は、第１実施形態の４つのリブ１３ｃ及び平坦部１３ｄを有さず、スカート部１３ｆ及び間隙１３ｇを有する（図１４）。
【００５１】
スカート部１３ｆは、本体１３ｂから延びて本体１３ｂの周囲に配置される。間隙１３ｇは、本体１３ｂとスカート部１３ｆとの間に形成される。スカート部１３ｆの半径は、容器側開口部１３ａの半径よりも大きくなっている。
【００５２】
本実施形態では、本体１３ｂから延びて、その周囲に配置されるスカート部１３ｆを形成した。これにより、縮径部１２ｄが本体１３ｂ、スカート部１３ｆによって支えられる。よって、第１実施形態と同様に、第２のキャップ１３の形状により、植毛ブラシ検査キット１の自立が助けられる。スカート部１３ｆと本体１３ｂとの間を間隙１３ｆにしたため、第１実施形態と同様に、第２のキャップ２３の重さを大きく変えることもない。
【００５３】
以上に本発明の幾つかの実施形態を説明したが、本発明はこれらに限定されるものではなく、特許請求の範囲における各請求項に記載の発明の範囲内において様々に変形可能である。たとえば、希釈液容器１２自体にスカート状のリブを設けて、植毛ブラシ検査キット１の自立を助けてもよい。また、複数の繊維１１ｇの長さや、太さや、植毛密度の少なくとも１つを変化させ、又はこれらの組み合わせにより検体採取部分１１ｂの菌の採取能力を変えてもよい。例えば、複数の繊維１１ｇの長さを長くすること、複数の繊維１１ｇの太さを細くすること、又は複数の繊維１１ｇの植毛密度を高くすることにより、複数の繊維１１ｇ間の採取量が増える。上記各実施形態を組み合わせて、植毛ブラシ検査キット１を構成してもよい。
【符号の説明】
【００５４】
１          植毛ブラシ検査キット
１０        第１のキャップ
１１        植毛ブラシ拭取り検査棒
１１ａ      長手部材
１１ｂ      検体採取部分
１１ｃ      平板部材
１１ｄ      上面
１１ｅ      下面
１１ｆ      側面
１１ｇ      繊維
１２        希釈液容器
１２ａ      収容空間
１２ｂ      上端開口部
１２ｃ      縮径部
１３        第２のキャップ
１３ａ      容器側開口部
１３ｂ      本体
１３ｃ      平坦部
１３ｄ      リブ
１３ｅ      栓部
【図１】
2012021953.tif 000003
【図２】
2012021953.tif 000004
【図３】
2012021953.tif 000005
【図４】
2012021953.tif 000006
【図５】
2012021953.tif 000007
【図６】
2012021953.tif 000008
【図７】
2012021953.tif 000009
【図８】
2012021953.tif 000010
【図９】
2012021953.tif 000011
【図１０】
2012021953.tif 000012
【図１１】
2012021953.tif 000013
【図１２】
2012021953.tif 000014
【図１３】
2012021953.tif 000015
【図１４】
2012021953.tif 000016